(57)【要約】      （修正有）【課題】工作物の剪断断面の角度を調整制御できる剪断具を提供する。【解決手段】互いに交差し、互いに弾性的な開閉動作が可能な第一柄１０及び第二柄２０があり、第一柄１０の前端にははさみの刃先１１が設けられている。回し盤底台３０は、第二柄２０の前端に設置され、はさみの刃先１１が工作物を剪断するために相合わせられる。回し盤底台３０の中心線に軸孔が設けられて回し盤軸の取り付けに供され、回し盤軸の頂端には二枚の当て片４２が突き出し、二枚の当て片４２の中央には刃先１１を通すための通し溝が設けられている。これにより、使用者は回し盤軸を回して当て片４２と刃先１１の角度を調整すれば、工作物の剪断面の角度を制御可能である。【選択図】図２
0003105560.tif 000002
【実用新案登録請求の範囲】
【請求項１】
剪断断面角度を調整可能な剪断具であって、互いに交差して枢合い、並びに互いに弾性的な開閉動作が可能な第一柄（１０）及び第二柄（２０）があり、第一柄（１０）の前端にははさみの刃先（１１）が設けられ、
回し盤底台（３０）は、第二柄（２０）の前端に設置され、はさみの刃先（１１）が工作物を剪断することに相合わせられ、
回し盤軸（４０）は、回し盤底台（３０）の中心線に軸孔（３３）が設けられて回し盤軸（４０）の取り付けに供され、かつそれの頂端には二枚の当て片（４２）が突き出し、二枚の当て片（４２）の中央には刃先（１１）を通すための通し溝（４３）が設けられ、
回し盤軸（４０）を回して当て片（４２）と刃先（１１）の角度を調整することにより、工作物の剪断面の角度を制御可能であることを特徴とする剪断具。
【請求項２】
回し盤底台（３０）の軸孔（３３）の端縁には、定位置歯溝（３４）が設けられ、かつ回し盤軸（４０）の底面には定位置歯溝（３４）に対応して最少一つの契合歯（４４）が設けられ、回し盤軸（４０）にはばね（４５）が取り付けられ、契合歯（４４）は常時弾性的に定位置歯溝（３４）に契合可能であることを特徴とする請求項１記載の剪断具。
【考案の詳細な説明】
【技術分野】
【０００１】
本考案は、剪断具に関するもので、更に詳しく言えば、工作物の剪断断面の角度を調整制御できる剪断具を指すものである。
【背景技術】
【０００２】
剪断具の概略態様は、二本の互いに交差し、かつ弾性的に開閉する柄が含まれ、二本の柄の前端には剪断機能を行うことができる刃先部が設けられ、他端は握ることに供される柄部である。使用者は握る力によって二本の柄部に作用し、二枚の刃先部は併合して剪断作用が発生し、そのために、工作物は直線状に現れる剪断面が発生する。
【０００３】
ところが、従来の剪断具は、工作物に対して直接剪断し、工作物の剪断面の角度を調整する機能がなく、もし特定の剪断面角度を必要とする場合、その多くは使用者個人の感覚によって剪断具と工作物の角度を調整して剪断を行い、または、工作物を剪断する前に別の測定器具をもって角度を測定し、かつ工作物の上に線を書き、更に線によって剪断するが、こうすると、動作が複雑になるだけでなく、かつ同じ角度の工作物を大量に剪断する場合は、大量の時間を角度の測定及び線書きに費やしてしまう。
【考案の開示】
【考案が解決しようとする課題】
【０００４】
本考案は、伝統的剪断具に工作物の剪断面角度を調整する機能がなく、伝統的剪断具で工作部を剪断する前は、別の測定器具をもって角度を測定し、かつ工作物の上に線を書き、更に線によって剪断するため、動作が複雑になるだけでなく、かつ同じ角度の工作物を大量に剪断する場合に大量の時間を費やす問題を解決することである。
【課題を解決するための手段】
【０００５】
本考案は、剪断具の第一柄の前端にはさみの刃先が設けられ、かつ第二柄の前端に回し盤底台が設けられて、はさみの刃先が工作物を剪断するように相合わせる。回し盤軸は、回し盤底台の中心線に取り付けられ、かつそれの頂端には二枚の当て片が突き出し、二枚の当て片の中央には刃先を通すための通し溝が設けられている。
【０００６】
本考案は、剪断具の回し盤軸を回すことにより、当て片と刃先の角度を調整することができ、その他測定工具によることなく、工作物の剪断面の角度を調整制御することができる。
【考案を実施するための最良の形態】
【０００７】
本考案の一実施例による剪断具は、図１及び図４に示すように、それの主要は次のものを含む。
第一柄１０は、第一柄１０の前端に刃先１１が設けられている。
【０００８】
第二柄２０は、第一柄１０と互いに枢接し、並びに弾性的に開閉することができる。かつ第一柄１０及び第二柄２０の末端にはともに使用者の握りに供される握り部１２または握り部２１が設けられている。
【０００９】
回し盤底台３０は、底端に支え部３１が延伸して設けられ、それによって、第二柄２０の前端個所に固定され、かつ回し盤底台３０の中心線には刃先１１に対応して刃溝３２が設けられ、刃先１１と相合わせて工作物を剪断する。刃溝３２の柄軸に近い個所には軸孔３３が設けられ、かつ軸孔３３の頂端縁には定位置歯溝３４が設けられている。その中、回し盤底台３０の頂上面には軸孔３３を円心にして複数の目盛３５が刻まれている。
【００１０】
回し盤軸４０は、軸４１を軸孔３３内に取り付けてなり、並びに回し盤軸４０の頂端には互いに対応する二枚の当て片４２が突き出し、かつ二枚の当て片４２の中央には刃先１１を通すことに供される通し溝４３が設けられている。その中、回し盤軸４０の底面には定位置歯溝３４に対応して複数の契合歯４４が設けられ、かつ軸４１にはばね４５が取り付けられ、並びに軸４１の末端にはナット４６がねじ付けられて定位置され、それによって、契合歯４４は常時弾性的に定位置歯溝３４に契合している。
【００１１】
使用者は、工作物を回して盤底台３０の上に置き、かつ当て片４２に当て合わせ、第一柄１０及び第二柄２０に力を施して握り締めると、刃先１１は通し溝４３から切り込み、かつ刃溝３２内に緊密に当て付けて、工作物を完全に切断することができる。
【００１２】
更に、図５を参照ください。使用者が工作物を違う角度に剪断する場合、ばね４５の弾力作用により使用者は回し盤軸４０に対して力を施し、それによって、契合歯４４は定位置歯溝３４から離脱し、かつ回し盤軸４０を回して当て片４２と刃先１１が交差する角度を調整し（図６に示す如く）、それによって、工作物の剪断面の角度が制御される。これにより、使用者は工作物を当て片４２に当て合わせ、並びに力を施して第一柄１０及び第二柄２０を握り締めれば、刃先１１は通し溝４３から切り込んで工作物に対して剪断を行い、こうすれば、工作物が必要とする角度を簡単に切り出すことができる。
【００１３】
本実施例は、回し盤軸４０を回す動作によって直接当て片４２と刃先１１の角度を調整することができ、他の測定工具を必要とせず、直接工作物の剪断面の角度を調整することができる。同じ角度の工作物を大量に剪断する場合は、予め回し盤軸４０の角度を調整すれば、簡単かつ迅速に大量の剪断仕事を完成することができる。
【図面の簡単な説明】
【００１４】
【図１】本考案の一実施例による剪断具を示す分解斜視図である。
【図２】本考案の一実施例による剪断具を示す斜視図である。
【図３】本考案の一実施例による剪断具の回し盤底台を示す断面図である。
【図４】本考案の一実施例による剪断具の回し盤底台を示す平面図である。
【図５】本考案の一実施例による剪断具の回し盤軸の作動を示す断面図である。
【図６】本考案の一実施例による剪断具の回し盤軸の作動を示す平面図である。
【符号の説明】
【００１５】
１０  第一柄、１１  刃先、１２  握り部、２０  第二柄、２１  握り部、３０  回し盤底台、３１  支え部、３２  刃溝、３３  軸孔、３４  定位置歯溝、３５  目盛、４０  回し盤軸、４１  通し軸、４２  当て片、４３  通し溝、４４  契合歯、４５  ばね、４６  ナット
【図１】
0003105560.tif 000003
【図２】
0003105560.tif 000004
【図３】
0003105560.tif 000005
【図４】
0003105560.tif 000006
【図５】
0003105560.tif 000007
【図６】
0003105560.tif 000008